(57)【要約】【課題】全体を金属ハウジングで覆って高強度を確保しつつ、電気的絶縁に必要な縁面距離を短縮して小型・コンパクト化を図ることができる電動工具を提供すること。【解決手段】モータ２を収容する樹脂製ハウジング３と、該樹脂製ハウジング３を覆う金属製ハウジング４と、前記モータ２に給電するためのカーボンブラシ２４とこれを移動可能に保持する金属製のブラシホルダ２６を備えた携帯用丸鋸（電動工具）において、前記ブラシホルダ２６を、前記金属製ハウジング４に形成された孔４ｂを通して前記樹脂製ハウジング３に形成された孔３ａに着脱可能に保持せしめる。【選択図】図４
2008200792.tif 000002
【特許請求の範囲】
【請求項１】
モータを収容する樹脂製ハウジングと、該樹脂製ハウジングを覆う金属製ハウジングと、前記モータに給電するためのカーボンブラシとこれを移動可能に保持する金属製のブラシホルダを備えた電動工具において、
前記ブラシホルダを、前記金属製ハウジングに形成された孔を通して前記樹脂製ハウジングに形成された孔に着脱可能に保持せしめたことを特徴とする電動工具。
【請求項２】
前記ブラシホルダの外周を樹脂製スリーブで覆い、両者を一体化して１部品として構成し、前記樹脂製スリーブにキャップを螺着したことを特徴とする請求項１記載の電動工具。
【請求項３】
前記モータによって回転駆動される円板状の鋸刃を備え、前記金属製ハウジングに一体に形成された支点部を中心として該金属製ハウジングを前記樹脂製ハウジングと前記モータ及び前記鋸刃と共に上下動させて切り込み深さを調整可能としたことを特徴とする請求項１又は２記載の電動工具。
【発明の詳細な説明】
【技術分野】
【０００１】
本発明は、モータを収容する樹脂製ハウジングを金属製ハウジングで覆って成る電動工具に関するものである。
【背景技術】
【０００２】
従来、電動工具のモータを覆うハウジングは一般的には樹脂にて構成されていたため、作業中或は運搬中にハウジングを他の物にぶつけると損傷し易いという問題があった。このため、樹脂製ハウジングを金属製ハウジングで覆う構成が提案されている。
【０００３】
又、電動工具においては、モータへの給電はロータのアーマチュア（電機子）に摺接するカーボンブラシを介して行われるが、カーボンブラシはアーマチュアとの摺接によって摩耗するため、これを容易に交換することができるよう該カーボンブラシをハウジングに対して着脱可能に保持せしめる構成が採用されている。
【０００４】
ここで、従来の電動工具の給電部の構成を図９及び図１０に基づいて説明する。
【０００５】
図９は従来の電動工具の給電部の断面図、図１０は図９のＤ−Ｄ線断面図であり、図示の電動工具は、樹脂製ハウジング１０３内にモータ１０２を収容しており、樹脂製ハウジング１０３は金属製ハウジング１０４によって覆われている。
【０００６】
そして、上記モータ１０２のアーマチュア１２３の外周にはカーボンブラシ１２４がスプリング１２５によって当接されており、該カーボンブラシ１２４は、金属製のブラシホルダ１２６によって径方向（図９及び図１０の上下方向）に摺動可能に保持されている。ここで、ブラシホルダ１２６の外周には給電ワイヤー１２７が接続されており、このブラシホルダ１２６の外周は樹脂製スリーブ１２８によって覆われており、両者は一体化されて１部品として構成されている。尚、図示しないが、アーマチュア１２３は、その外周に対向する２箇所にカーボンブラシ１２４が当接している。
【０００７】
又、上記樹脂製スリーブ１２８の外端部内周にはキャップ１２９が螺着されており、このキャップ１２９とカーボンブラシ１２４間に前記スプリング１２５が縮装され、このスプリング１２５によってカーボンブラシ１２４が径方向内方に付勢されてアーマチュア１２３の外周に所定圧で押圧されている。
【０００８】
ところで、樹脂製ハウジング１０３と金属製ハウジング１０４には孔１０３ａ，１０４ｂがそれぞれ形成されており、予め組付一体化されたカーボンブラシ１２４とブラシホルダ１２６及び樹脂製スリーブ１２８は、樹脂製ハウジング１０３と金属製ハウジング１０４の孔１０３ａ，１０４ｂから両ハウジング１０３，１０４内に挿入され、これらは樹脂製スリーブ１２８が金属製ハウジング１０４の孔１０４ｂに嵌合されることによって着脱可能に保持される。そして、金属製ハウジング１０４に螺合するビス１３０を締め付けてこれを樹脂製スリーブ１２８の外周に押し付けることによって、組付一体化されたカーボンブラシ１２４とブラシホルダ１２６及び樹脂製スリーブ１２８が金属製ハウジング１０４に固定される。
【発明の開示】
【発明が解決しようとする課題】
【０００９】
しかしながら、図９及び図１０に示した従来の電動工具の給電構造では、一体化されたブラシホルダ１２６と樹脂製スリーブ１２８とを金属製ハウジング１０４に保持せしめる構成が採用されていたため、金属製のブラシホルダ１２６と金属製ハウジング１０４とが近接し、両者の電気的絶縁に必要な縁面距離が長くなり、金属製ハウジング１０４内に図１０に示す比較的大きな絶縁空間Ｓを確保する必要がある。このため、金属製ハウジング１０４、延いては電動工具全体が大型化するという問題があった。
【００１０】
本発明は上記問題に鑑みてなされたもので、その目的とする処は、全体を金属ハウジングで覆って高強度を確保しつつ、電気的絶縁に必要な縁面距離を短縮して小型・コンパクト化を図ることができる電動工具を提供することにある。
【課題を解決するための手段】
【００１１】
上記目的を達成するため、請求項１記載の発明は、モータを収容する樹脂製ハウジングと、該樹脂製ハウジングを覆う金属製ハウジングと、前記モータに給電するためのカーボンブラシとこれを移動可能に保持する金属製のブラシホルダを備えた電動工具において、前記ブラシホルダを、前記金属製ハウジングに形成された孔を通して前記樹脂製ハウジングに形成された孔に着脱可能に保持せしめたことを特徴とする。
【００１２】
請求項２記載の発明は、請求項１記載の発明において、前記ブラシホルダの外周を樹脂製スリーブで覆い、両者を一体化して１部品として構成し、前記樹脂製スリーブにキャップを螺着したことを特徴とする。
【００１３】
請求項３記載の発明は、請求項１又は２記載の電動工具を、前記モータによって回転駆動される円板状の鋸刃を備え、前記金属製ハウジングに一体に形成された支点部を中心として該金属製ハウジングを前記樹脂製ハウジングと前記モータ及び前記鋸刃と共に上下動させて切り込み深さを調整可能としたことを特徴とする。
【発明の効果】
【００１４】
請求項１記載の発明によれば、導電性のブラシホルダを非導電性の樹脂製ハウジングに形成された孔に保持せしめたため、ブラシホルダと金属ハウジングとの距離が従来よりも離れ、両者の電気的絶縁に必要な縁面距離が短くて済み、この結果、両ハウジング、延いては電動工具全体の小型・コンパクト化を図ることができる。又、樹脂製ハウジングを樹脂よりも強度の高い金属製ハウジングで覆ったため、電動工具の強度が高められる。
【００１５】
請求項２記載の発明によれば、ブラシホルダの外周を樹脂製スリーブで覆って両者を１部品として構成するとともに、樹脂製スリーブにキャップを螺着したため、キャップを取り外すことなく、一体化されたブラシホルダと樹脂製スリーブ及びカーボンブラシをユニットとして一体に着脱することができ、カーボンブラシの交換を作業性良く容易に行うことができる。
【００１６】
請求項３記載の発明によれば、電動工具の回動中心となる支点部を金属製ハウジングに一体に形成したため、支点部の強度が高められる。
【発明を実施するための最良の形態】
【００１７】
以下に本発明の実施の形態を添付図面に基づいて説明する。
【００１８】
＜実施の形態１＞
図１は本発明に係る電動工具の一形態としての携帯用丸鋸の側面図、図２は図１のＡ−Ａ線に沿う破断面図、図３は図２のＢ−Ｂ線断面図、図４は図３のＣ−Ｃ線断面図、図５は樹脂製ハウジングの斜視図、図６は金属製ハウジングの斜視図である。
【００１９】
本実施の形態に係る携帯用丸鋸１は、図２に示すように、駆動源であるモータ２を収容する樹脂製ハウジング３と、該樹脂製ハウジング３を覆う金属製ハウジング４を備えており、金属製ハウジング４にはハンドル５が取り付けられている。
【００２０】
上記モータ２のロータ６は、その軸方向両端がベアリング７，８によって回転可能に支持されており、その軸方向前端（図２の左方を前方とする）にはピニオン９が一体に形成されている。尚、ロータ６のベアリング７の後方の部位には冷却ファン１０が結着されている。
【００２１】
又、ロータ６の下方には、該ロータ６と平行に駆動軸１１がその軸方向両端をベアリング１２，１３によって回転可能に支持されて配されており、この駆動軸１１の中間部には、前記ピニオン９に噛合するギヤ１４が結着されている。そして、駆動軸１１の前端部には円板状の鋸刃１５がボルト１６によって着脱可能に装着されており、該鋸刃１５の外周の略上半部はソーカバー１７によって覆われている。又、鋸刃１５の前記ソーカバー１７によって覆われる部分以外の略半円部分の外周部は、鋸刃１５と同心で回動可能に保持された保護カバー１８によって覆われている。尚、この保護カバー１８は、リターンスプリング１９によって鋸刃１５の外周を覆う方向に付勢されており、切断作業における鋸刃１５の揺動によってリターンスプリング１９の付勢力に抗して回動して鋸刃１５を露出させる。
【００２２】
ところで、以上説明した樹脂製ハウジング３、金属製ハウジング４、モータ２、鋸刃１５等は、ベース２０に対して図１に示すピン２１を中心として上下に回動可能に支持されている。ここで、図６に示すように、金属製ハウジング４の前端側部にはアーム４Ａが一体に形成されており、該アーム４Ａの先端部には支点部であるボス部４ａが一体に形成されている。
【００２３】
他方、図１に示すように、前記ベース２０の一端上にはブラケット２１が立設されており、該ブラケット２１には、金属製ハウジング４に形成されたアーム４Ａのボス部４ａに挿通する前記ピン２１によって樹脂製ハウジング３、金属製ハウジング４、モータ２、鋸刃１５等が前述のようにベース２０に対して上下に回動可能に支持されている。
【００２４】
ここで、前記モータ２への給電構造を図３及び図４に基づいて説明する。
【００２５】
モータ２への給電はロータ６のアーマチュア２３の外周の相対向する２箇所に摺接するカーボンブラシ２４（図３及び図４には一方のみ図示）を介して行われるが、各カーボンブラシ２４はアーマチュア２３との摺接によって摩耗するため、これを容易に交換することができるよう該カーボンブラシ２４を樹脂製ハウジング３と金属製ハウジング４に対して着脱可能に保持せしめる構成が採用されている。このため、図５及び図６に示すように、樹脂製ハウジング３と金属製ハウジング４の各後端部の相対向する両側部には円孔３ａ，４ｂ（図５及び図６には一方のみ図示）がそれぞれ形成されている。尚、図３及び図４に示すように、金属製ハウジング４に形成された円孔４ｂの内径の方が樹脂製ハウジング３に形成された円孔３ａの内径よりも大きく設定されている。
【００２６】
図３及び図４に示すように、アーマチュア２３の外周の相対向する２箇所にはカーボンブラシ２４がスプリング２５によって当接されており、該カーボンブラシ２４は、金属製のブラシホルダ２６によって径方向（図３及び図４の上下方向）に摺動可能に保持されている。ここで、ブラシホルダ２６の外周には給電ワイヤー２７が接続されており、このブラシホルダ２６の外周は樹脂製スリーブ２８によって覆われており、両者は一体化されて１部品として構成されている。
【００２７】
又、上記樹脂製スリーブ２８の外端部内周にはキャップ２９が螺着されており、このキャップ２９とカーボンブラシ２４間に前記スプリング２５が縮装され、このスプリング２５によってカーボンブラシ２４が径方向内方に付勢されてアーマチュア２３の外周に所定圧で押圧されている。
【００２８】
ところで、前述のように樹脂製ハウジング３と金属製ハウジング４には円孔３ａ，４ｂがそれぞれ形成されており（図５及び図６参照）、予め組付一体化されたカーボンブラシ２４とブラシホルダ２６及び樹脂製スリーブ２８は、樹脂製ハウジング３と金属製ハウジング４の円孔３ａ，４ｂから両ハウジング３，４内に挿入され、これらは樹脂製スリーブ２８が樹脂製ハウジング３の円孔３ａに嵌合されることによって着脱可能に保持される。このようにしてカーボンブラシ２４とブラシホルダ２６及び樹脂製スリーブ２８が樹脂製ハウジング３に保持されると、樹脂製ハウジング３に螺合するビス３０を樹脂製ハウジング３に形成された孔３ｂから差し込まれたドライバ等の不図示の工具によって締め付ければ、組付一体化されたカーボンブラシ２４とブラシホルダ２６及び樹脂製スリーブ２８が樹脂製ハウジング３に固定され、これらの抜けが確実に防がれる。尚、組付状態においては、キャップ２９が金属製ハウジング４の外表面から突出することがないよう、該キャップ２９は金属製ハウジング４内に収容されている。
【００２９】
而して、以上のように構成された携帯用丸鋸１において、不図示のスイッチをＯＮしてモータ２に給電がなされると該モータ２が起動され、そのロータ６の回転は、互いに噛合するピニオン９とギヤ１４によって減速されて駆動軸１１に伝達され、該駆動軸１１とこれに装着された鋸刃１５が所定の速度で回転駆動され、鋸刃１５によって不図示の被切断材が切断される。そして、このときの切断深さは、ハンドル５を把持して樹脂製ハウジング３、金属製ハウジング４、モータ２、鋸刃１５等をピン２１を中心としてベース２０に対して一体に上下動させることによって調整される。
【００３０】
以上において、本実施の形態では、導電性のブラシホルダ２６を非導電性の樹脂製ハウジング３に形成された円孔３ａに保持せしめたため、ブラシホルダ２６と金属製ハウジング４との距離が従来よりも離れ、両者の電気的絶縁に必要な縁面距離が短くて済み、この結果、両ハウジング３，４、延いては携帯用丸鋸１全体の小型・コンパクト化を図ることができる。このように両ハウジング３，４の小型・コンパクト化が図られると、両ハウジング３，４及び鋸刃１５の上下に回動可能範囲が大きくなり、結果として切断深さの調整代も大きくなるという効果が得られる。尚、図７に示すように、ブラシホルダ２６と樹脂製スリーブ２８の長さを短くすれば、樹脂製ハウジング３及び金属製ハウジング４の更なる小型・コンパクト化を図ることができる。
【００３１】
又、本実施の形態に係る携帯用丸鋸１においては、樹脂製ハウジング３を樹脂よりも強度の高い金属製ハウジング４で覆ったため、当該携帯用丸鋸１の強度が高められ、作業中或いは運搬中に該携帯用丸鋸１が他の物にぶつかっても、これが容易に損傷する等の不具合が発生することがない。
【００３２】
更に、本実施の形態では、ブラシホルダ２６の外周を樹脂製スリーブ２８で覆って両者を１部品として構成するとともに、樹脂製スリーブ２８にキャップ２９を螺着したため、キャップ２９を取り外すことなく、一体化されたブラシホルダ２６と樹脂製スリーブ２８及びカーボンブラシ２４をユニットとして一体に着脱することができ、カーボンブラシ２４の交換を作業性良く容易に行うことができる。
【００３３】
又、本実施の形態では、樹脂製ハウジング３、金属製ハウジング４、モータ２、鋸刃１５等の回動中心となるピン２１を挿通支持する支点部としてのボス部４ａを金属製ハウジング４のアーム４Ａに一体に形成したため（図６参照）、支点部の強度が高められる。
【００３４】
＜実施の形態２＞
次に、本発明の実施の形態２を図８に基づいて説明する。
【００３５】
図８は本発明の実施の形態２に係る携帯用丸鋸の給電部の断面図であり、本図においては図３において示したものと同一要素には同一符合を付しており、以下、それらについての再度の説明は省略する。
【００３６】
本実施の形態は、前記実施の形態における樹脂製スリーブ２８を省略し、ブラシホルダ２６を樹脂製ハウジング３の円孔３ａに直接嵌合保持せしめたことを特徴としており、キャップ２９は樹脂製ハウジング３の円孔３ａに螺着されている。
【００３７】
而して、本実施の形態においても前記実施の形態と同様の効果が得られるが、ブラシホルダ２６を樹脂製ハウジング３の円孔３ａに直接嵌合保持せしめたため、構造の簡素化を図ることができる。但し、本実施の形態では、カーボンブラシ２４の交換に際しては、キャップ２９を取り外してカーボンブラシ２４とブラシホルダ２６を着脱する必要がある。
【００３８】
尚、以上は本発明を特に携帯用丸鋸に適用した形態について説明したが、本発明は、それ以外の任意の電動工具に対しても同様に適用可能であることは勿論である。
【図面の簡単な説明】
【００３９】
【図１】本発明の実施の形態１に係る携帯用丸鋸の側面図である。
【図２】図１のＡ−Ａ線に沿う破断面図である。
【図３】図２のＢ−Ｂ線断面図である。
【図４】図３のＣ−Ｃ線断面図である。
【図５】本発明の実施の形態１に係る携帯用丸鋸の樹脂製ハウジングの斜視図である。
【図６】本発明の実施の形態１に係る携帯用丸鋸の金属製ハウジングの斜視図である。
【図７】本発明の実施の形態１に係る携帯用丸鋸の給電部の変形例を示す断面図（図４と同様の図である）。
【図８】本発明の実施の形態２に係る携帯用丸鋸の給電部の断面図である。
【図９】従来の電動工具の給電部の断面図である。
【図１０】図９のＤ−Ｄ線断面図である。
【符号の説明】
【００４０】
１          携帯用丸鋸
２          モータ
３          樹脂製ハウジング
３ａ        樹脂製ハウジングの円孔（孔）
３ｂ        樹脂製ハウジングの孔
４          金属製ハウジング
４Ａ        金属製ハウジングのアーム
４ａ        金属製ハウジングのボス部
４ｂ        金属製ハウジングの円孔（孔）
５          ハンドル
６          ロータ
７，８      ベアリング
９          ピニオン
１０        冷却ファン
１１        駆動軸
１２，１３  ベアリング
１４        ギヤ
１５        鋸刃
１６        ボルト
１７        ソーカバー
１８        保護カバー
１９        リターンスプリング
２０        ベース
２１        ピン
２２        ブラケット
２３        アーマチュア
２４        カーボンブラシ
２５        スプリング
２６        ブラシホルダ
２７        給電ワイヤー
２８        樹脂製スリーブ
２９        キャップ
３０        ビス
【図１】
2008200792.tif 000003
【図２】
2008200792.tif 000004
【図３】
2008200792.tif 000005
【図４】
2008200792.tif 000006
【図５】
2008200792.tif 000007
【図６】
2008200792.tif 000008
【図７】
2008200792.tif 000009
【図８】
2008200792.tif 000010
【図９】
2008200792.tif 000011
【図１０】
2008200792.tif 000012